(57)【要約】【課題】薄型化をより効果的に行いつつ、ディスククランプ時のクランパの移動距離を短くしてディスクのクランプを安定にかつ確実に行い、ディスクの搬送をスムーズに行う。【解決手段】クランパ４の非作動時、ディスク保持部材５がターンテーブル３の凹嵌部３ｂ内に引き込まれて退避位置に設定され、ディスク保持部材５の上面５ｃがターンテーブル３のディスク挟持面３ｂより外方に突出しない。したがって、ディスク２がターンテーブル３とクランパ４との間の間隙を突出しない分小さくできるとともに、ディスク２が間隙への進入時にディスク保持部材５に干渉しない。クランパ４がターンテーブル３に接近すると、ディスク保持部材５がクランパ４の磁石１０の吸引力でターンテーブル３のディスク挟持面３ｂより外方に突出して使用位置となり、ディスク２を保持する。【選択図】図１
2007179665.tif 000002
【特許請求の範囲】
【請求項１】
ディスクをピックアップ位置にクランプするチャッキング機構が、回転可能に設けられかつディスクをクランプするターンテーブル側ディスク挟持面を有するターンテーブルと、前記ディスクの保持孔が嵌合されることで前記ディスクをその径方向に位置決めして保持するディスク保持部材と、前記ターンテーブルの前記ターンテーブル側ディスク挟持面に対して接近・離間可能に設けられかつ前記ディスク保持部材で保持された前記ディスクを前記ターンテーブル側ディスク挟持面との間でクランプするクランパ側ディスク挟持面を有するクランパとを少なくとも備え、前記クランパの非作動位置で設定された前記クランパと前記ターンテーブルとの間の間隙に進入して前記ディスク保持部材で保持された前記ディスクを、前記クランパが前記ターンテーブル側ディスク挟持面に接近した前記クランパの作動位置で前記ターンテーブル側ディスク挟持面と前記クランパ側ディスク挟持面との間にクランプした状態で、前記ターンテーブルが前記ディスクを回転することにより、前記ディスクに対して情報の処理を行うディスク記録媒体処理装置において、
前記ディスク保持部材が、前記ターンテーブル側ディスク挟持面から外方に突出して前記ディスクを保持可能にする使用位置と、前記ターンテーブル側ディスク挟持面より内方に少なくとも部分的に引き込んで前記ディスクを保持しない退避位置との間で、前記ターンテーブルの回転軸の軸方向に移動可能に設けられており、
前記クランパが前記作動位置の方へ移動したとき前記ディスク保持部材を前記使用位置に設定するとともに、前記クランパが前記非作動位置の方へ移動したとき、前記ディスク保持部材を前記退避位置に設定するディスク保持部材駆動手段が設けられていることを特徴とするディスク記録媒体処理装置。
【請求項２】
前記ディスク保持部材が前記退避位置に設定されたとき、前記ディスク保持部材の全体が前記ターンテーブル側ディスク挟持面より内方に引き込まれることを特徴とする請求項１記載のディスク記録媒体処理装置。
【請求項３】
前記ディスク保持部材が磁性材で形成されているとともに、前記ディスク保持部材駆動手段が前記クランパに設けられたクランパ側磁石を備えており、
前記クランパが前記作動位置の方へ移動したとき、前記ディスク保持部材が前記クランパ側磁石の吸引力で前記使用位置の方へ移動されかつ移動規制手段で前記使用位置に停止保持されて前記使用位置に設定されることを特徴とする請求項１または２記載のディスク記録媒体処理装置。
【請求項４】
前記ディスク保持部材駆動手段が、更に、前記ターンテーブルに設けられかつ前記ディスク保持部材が前記退避位置にあるときに前記ディスク保持部材を吸引して前記退避位置に保持するターンテーブル側磁石を備え、
前記クランパ側磁石による前記ディスク保持部材の吸引力は、前記クランパが少なくとも前記非作動位置にあるとき前記ターンテーブル側磁石による前記ディスク保持部材の吸引力より小さくなりかつ前記クランパが少なくとも前記作動位置にあるとき前記ターンテーブル側磁石による前記ディスク保持部材の吸引力より大きくなるように設定されていることを特徴とする請求項３記載のディスク記録媒体処理装置。
【発明の詳細な説明】
【技術分野】
【０００１】
本発明は、例えば、音響機器、映像機器、情報機器、通信機器、計測機器等において用いられ、ＣＤやＤＶＤ等のディスクに対して記録、再生等の情報の処理を行うディスク記録媒体処理装置の技術分野に関し、特に、薄型化を図ることのできるディスク記録媒体処理装置の技術分野に属する。
【背景技術】
【０００２】
例えば、音響機器においては、多数の曲が記録されているディスクを用いたディスク記録再生装置（ＣＤ装置、ＤＶＤ装置等）が、従来から種々多数開発されている。従来のこのようなディスク記録再生装置の１つとして、スロットイン方式のディスク記録再生装置がある（例えば、特許文献１参照）。このスロットイン方式のディスク記録再生装置は、装置本体にスロットからなるディスク挿入取出口が設けられており、このディスク挿入取出口にディスクを挿入することで、ディスクが装置本体内に引き込まれてトラバースユニットのピックアップ位置にセットされるようになっている。そして、トラバースユニットにおいて、ディスクに記録されている情報の再生、あるいはディスクへの情報の記録が行われる。
【０００３】
この特許文献１に開示のディスク記録媒体処理装置を始め、従来のスロットイン方式のディスク記録媒体処理装置においては、図２（ａ）に示すようにトラバースユニットはディスクチャッキング機構１を備えている。このディスクチャッキング機構１は、ピックアップ位置にセットされたディスク２をモータ駆動力で回転するターンテーブル３と、このターンテーブル３に対して同図において上下方向に接近・離間可能に設けられ、かつ図２（ｂ）に示すようにピックアップ位置にセットされたディスク２をターンテーブル３との間でクランプ（挟持）するクランパ４と、ディスク２をターンテーブル３上のピックアップ位置にセットするために、ターンテーブル３のターンテーブル側ディスク挟持面３ａの中心部位にターンテーブル側ディスク挟持面３ａより図において上方に突出してターンテーブル３と一体に固定された円環状の突起からなるディスク保持部材５とを備えている。その場合、ディスク保持部材５の外周面がディスク保持部５ａとされているとともに、ディスク保持部材５の上部外周縁には面取りにより傾斜したテーパー面のガイド面５ｂが形成されている。
【０００４】
そして、図２（ａ）に示すようにクランパ４がターンテーブル３から所定距離離間してクランパ４とターンテーブル３との間に間隙が設定された状態で、図示しないディスク挿入取出口から挿入されたディスク２が図示しない搬送手段で図２（ａ）において左方から搬送されてこの間隙に進入する。ディスク２の保持孔２ａの中心がディスク保持部材５の中心位置に来ると、クランパ４がターンテーブル３に接近するように下降する。これにより、クランパ４のディスク挟持面４ａがディスク２の上面２ｃに当接し、その後、クランパ４はディスク２をターンテーブル３の方へ押圧しながら下降するので、ディスク２もクランパ４と一緒に下降する。すると、ディスク２の中心に形成された保持孔２ａがこのディスク保持部材５のディスク保持部５ａにほとんど隙間なく嵌合する。このとき、ディスク２の保持孔２ａの内周縁がディスク保持部材５のガイド面５ｂにガイドされるので、ディスク２の保持孔２ａはディスク保持部５ａに簡単かつ確実に嵌合し径方向に位置決めされて保持される。最後に、ディスク２がクランパ４のクランパ側ディスク挟持面４ａとターンテーブル３のターンテーブル側ディスク挟持面３ａとの間にクランプされる。こうして、ディスク２がピックアップ位置にセットされ、ターンテーブル３がディスク２を回転することにより、ディスク２の記録情報の再生あるいはディスク２への情報の記録等の情報の処理が行われる。
【０００５】
ディスク２に対する情報の処理が終了すると、クランパ４が図２（ａ）に示す位置に上昇されるとともに図示しない適宜の手段でディスク２が持ち上げられ、このディスク２の下面２ｂがディスク保持部材５の上面５ｃより高い図２（ａ）に示す位置に上昇される。その後、ディスク２は搬送手段でディスク挿入取出口の方へ搬送される。
【０００６】
ところで、ディスク２をディスク挿入取出口から搬送してターンテーブル３のピックアップ位置に確実にセットしたり、あるいはディスク２をピックアップ位置からディスク挿入取出口へ確実に搬送したりするために、図２（ａ）に示すように、クランパ４がターンテーブル３から離間してディスク２をクランプしない非作動位置にある時に、ターンテーブル３のターンテーブル側ディスク挟持面３ａとクランパ４の最下面４ｂとの間に所定の間隙が設定されるが、この間隙の大きさつまりターンテーブル側ディスク挟持面３ａとクランパ４の最下面４ｂとの間の離間距離ｓ′がディスク２をディスク保持部材５に干渉することなく確実に搬送可能とするために、ある程度の距離を確保する必要がある。
【０００７】
すなわち図２（ａ）に示ように、クランパ４の非作動位置における前述の離間距離ｓ′は、ディスク２の厚みｔ、ディスク２の上面２ｃとクランパ４の最下面４ｂとの間隔ｃ1、ディスク２の下面２ｂとディスク保持部材５の上面５ｃとの間隔ｃ2、およびターンテーブル３のターンテーブル側ディスク挟持面３ａからのディスク保持部材５の高さｈをすべて加えた大きさ以上（ｓ′ ≧ ｔ＋ｃ1＋ｃ2＋ｈ）に設定する必要がある。したがって、クランパ４の非作動位置における離間距離ｓ′は、かなり大きいものとならざるを得ない。このため、ディスクチャッキング機構１の厚みがかなり厚くなり、その結果、ディスク記録媒体処理装置が大型になるという問題がある。
【０００８】
また、離間距離ｓ′がかなり大きいことから、クランパ４とターンテーブル３とによるディスク２のクランプ動作時、クランパ４の移動距離ｄ′が ｄ′＝ ｓ′−ｔで比較的長くなり、クランパ４を大きく移動させる必要がある。このためクランパ４の移動が不安定となり、クランパ４によるディスクのクランプを安定して確実に行うことができないばかりでなく、クランパ４の移動制御が難しく、クランパ４の移動支持構造も複雑となるという問題もある。
しかも、ディスク挿入取出口からのディスク２の搬送時、ディスク２が、ターンテーブル３のターンテーブル側ディスク挟持面３ａより突出したディスク保持部材５に干渉するおそれがあるので、ディスク２の搬送がスムーズに行われないおそれがある。
【０００９】
そこで、ディスク保持部材５をターンテーブル３の上面の中心部位に載置し、ターンテーブル３の中心に回転軸を一体回転可能に装着するとともに、この回転軸をモータプレートに固定されたホルダーに軸受けメタルを介して回転可能に支持しかつディスク保持部材５まで延設することで、軸受けメタル長さを十分確保しつつ、モータの高さ寸法を低くすることが提案されている（例えば、特許文献２参照）。この特許文献２に開示のディスク記録媒体処理装置によれば、モータの高さ寸法が低くなることから、ディスク記録媒体処理装置の薄型化がある程度可能となる。なお、図２（ａ）に示す例と同じ構成要素にのみ、同じ符号を付す。
【特許文献１】特開平７−２２０３５３号公報。
【特許文献２】特開２００５−２２５３２３９号公報。
【発明の開示】
【発明が解決しようとする課題】
【００１０】
しかしながら、前述の特許文献２に開示のものでも、ディスク保持部材５が常時ターンテーブル３のターンテーブル側ディスク挟持面３ａより突出されるので、図２（ａ）に示す例と同様に、ターンテーブル３のターンテーブル側ディスク挟持面３ａからのクランパ４の最下面４ｂの離間距離ｓ′は、ｓ′ ≧ ｔ＋ｃ1＋ｃ2＋ｈに設定する必要がある。このため、モータの高さ寸法が低くなったとしても、ディスク記録媒体処理装置の薄型化を効果的に図ることは難しいという問題がある。また、この特許文献２に開示のものでも、ディスククランプ動作時にクランパ４を図２（ａ）に示す例と同様に大きく移動させなければならないばかりでなく、ディスク挿入取出口からのディスク２の搬送時、ディスク２が突出したディスク保持部材５に干渉するおそれがあるので、前述と同じ問題がある。
【００１１】
本発明はこのような事情に鑑みてなされたものであって、その目的は、薄型化をより効果的に行うことができるようにしつつ、ディスククランプ時のクランパの移動距離を短くしてクランパによるディスクのクランプを安定にかつ確実に行うことのでき、しかも、装置内でのディスクの搬送をスムーズに行うことのできるディスク記録媒体処理装置を提供することである。
【課題を解決するための手段】
【００１２】
前述の課題を解決するために、請求項１の発明は、ディスクをピックアップ位置にクランプするチャッキング機構が、回転可能に設けられかつディスクをクランプするターンテーブル側ディスク挟持面を有するターンテーブルと、前記ディスクの保持孔が嵌合されることで前記ディスクをその径方向に位置決めして保持するディスク保持部材と、前記ターンテーブルの前記ターンテーブル側ディスク挟持面に対して接近・離間可能に設けられかつ前記ディスク保持部材で保持された前記ディスクを前記ターンテーブル側ディスク挟持面との間でクランプするクランパ側ディスク挟持面を有するクランパとを少なくとも備え、前記クランパの非作動位置で設定された前記クランパと前記ターンテーブルとの間の間隙に進入して前記ディスク保持部材で保持された前記ディスクを、前記クランパが前記ターンテーブル側ディスク挟持面に接近した前記クランパの作動位置で前記ターンテーブル側ディスク挟持面と前記クランパ側ディスク挟持面との間にクランプした状態で、前記ターンテーブルが前記ディスクを回転することにより、前記ディスクに対して情報の処理を行うディスク記録媒体処理装置において、前記ディスク保持部材が、前記ターンテーブル側ディスク挟持面から外方に突出して前記ディスクを保持可能にする使用位置と、前記ターンテーブル側ディスク挟持面より内方に少なくとも部分的に引き込んで前記ディスクを保持しない退避位置との間で、前記ターンテーブルの回転軸の軸方向に移動可能に設けられており、前記クランパが前記作動位置の方へ移動したとき前記ディスク保持部材を前記使用位置に設定するとともに、前記クランパが前記非作動位置の方へ移動したとき、前記ディスク保持部材を前記退避位置に設定するディスク保持部材駆動手段が設けられていることを特徴としている。
【００１３】
また、請求項２の発明は、前記ディスク保持部材が前記退避位置に設定されたとき、前記ディスク保持部材の全体が前記ターンテーブル側ディスク挟持面より内方に引き込まれることを特徴としている。
更に、請求項３の発明は、前記ディスク保持部材が磁性材で形成されているとともに、前記ディスク保持部材駆動手段が前記クランパに設けられたクランパ側磁石を備えており、前記クランパが前記作動位置の方へ移動したとき、前記ディスク保持部材が前記クランパ側磁石の吸引力で前記使用位置の方へ移動されかつ移動規制手段で前記使用位置に停止保持されて前記使用位置に設定されることを特徴としている。
【００１４】
更に、請求項４の発明は、前記ディスク保持部材駆動手段が、更に、前記ターンテーブルに設けられかつ前記ディスク保持部材が前記退避位置にあるときに前記ディスク保持部材を吸引して前記退避位置に保持するターンテーブル側磁石を備え、前記クランパ側磁石による前記ディスク保持部材の吸引力は、前記クランパが少なくとも前記非作動位置にあるとき前記ターンテーブル側磁石による前記ディスク保持部材の吸引力より小さくなりかつ前記クランパが少なくとも前記作動位置にあるとき前記ターンテーブル側磁石による前記ディスク保持部材の吸引力より大きくなるように設定されていることを特徴としている。
【発明の効果】
【００１５】
このように構成された本発明のディスク記録媒体処理装置によれば、クランパの非作動位置におけるクランパとターンテーブルとの間の間隙（離間距離）が、前述の図２（ａ）および（ｂ）に示す従来の離間距離に比べてディスク保持部材のターンテーブル側ディスク挟持面より内方への引き込み量分小さくなるので、ディスクチャッキング機構の厚みをその分薄くでき、その結果、ディスク記録媒体処理装置をより小型コンパクトに形成することができる。
【００１６】
また、前述の間隙（離間距離）が従来の離間距離に比べて小さくなるので、クランパとターンテーブルとによるディスクのクランプ動作時、クランパの移動距離を従来の移動距離に比べて小さくすることができ、クランパの移動量を小さくできる。これにより、クランパの移動を安定にできるので、クランパによるディスクのクランプを安定して確実に行うことができるとともにクランパの移動制御を容易にすることができ、更にはクランパの移動支持構造も簡単にすることができる。
【００１７】
更に、ディスクが前述の間隙に進入するとき、ディスク保持部材をターンテーブル側ディスク挟持面より内方に少なくとも部分的に引き込ませているので、ディスクがこのディスク保持部材に干渉するのを抑制できる。これにより、装置内でのディスクのピックアップ位置への搬送をスムーズに行うことができる。特に、ディスク保持部材の全体をターンテーブル側ディスク挟持面より内方に引き込ませることで、ディスク保持部材がターンテーブル側ディスク挟持面より外方に突出しなくなるので、ディスクがディスク保持部材に干渉するのを確実に防止できる。
【００１８】
更に、ディスク保持部材駆動手段をクランパに設けたクランパ側磁石およびターンテーブル側磁石の磁石で形成しているので、ディスク保持部材駆動手段を簡単な構成にできる。
更に、クランパとターンテーブルとによるディスクのクランプ時以外は、ディスク保持部材をターンテーブル側磁石により退避位置でターンテーブルに吸着保持させているので、ディスク保持部材が使用位置と退避位置との間で移動可能に設けても、ディスク保持部材を退避位置に、がたつくことがなく安定して確実に保持することができる。
【発明を実施するための最良の形態】
【００１９】
以下、図面を用いて本発明を実施するための最良の形態について説明する。
図１は、本発明に係るディスク記録媒体処理（記録再生）装置の実施の形態の一例を概略的に示し、（ａ）はクランパによるディスクの非クランプ時を示す図、（ｂ）はクランパによるディスクのクランプ時を示す図である。なお、図２（ａ）および（ｂ）に示す従来例と同じ構成要素には同じ符号を付して説明する。
【００２０】
この例のディスク記録媒体処理装置は、前述の特許文献１および２に開示のディスク記録媒体処理装置と同様のスロットイン方式のディスク記録媒体処理装置であり、そのトラバースユニットのディスクチャッキング機構１は基本的には図２（ａ）および（ｂ）に示す従来例のディスクチャッキング機構１と同じであり、ディスク保持部材５の設置構造のみが異なる。したがって、ディスク保持部材５の設置構造について説明し、図２（ａ）および（ｂ）に示す従来例と同じ構成については詳細な説明は省略する。
【００２１】
図１（ａ）に示すように、この例のディスク記録媒体処理装置のディスクチャッキング機構１では、モータ６のロータである円環状のターンテーブル３の中心部位に、ターンテーブル側ディスク挟持面３ａより凹んだ第１凹嵌部３ｂが形成されている。この第１凹嵌部３ｂは図１において下方に向かって狭くなる環状の逆截頭円錐台形状にかつターンテーブル３の外周面と同心に形成されているとともに、その底部３ｃが円環状平面とされている。
【００２２】
更に、底部３ｃの中心部位に、底部３ｃより凹んだ第２凹嵌部３ｄが形成されているとともに、この第２凹嵌部３ｄは円柱形状にかつターンテーブル３の外周面と同心に形成されている。第１凹嵌部３ｂの底部３ｃの上面には、１枚の円環状かつ薄肉平板状の磁石からなるディスク保持部材退避位置設定保持用磁石（本発明のターンテーブル側磁石に相当）７が第２凹嵌部３ｄと同心に固定されている。なお、ディスク保持部材退避位置設定保持用磁石７は必ずしも１枚で円環状に形成される必要はなく、所定枚数の薄肉平板状の磁石を円環状に配置することもできる。
ターンテーブル３は、従来と同様に回転軸８に一体回転可能に取り付けられている。その場合、回転軸８が第２凹嵌部３ｄを貫通していて、この第２凹嵌部３ｄが回転軸８に固定されている。
【００２３】
ディスク保持部材５は磁性材で円環状に形成されており、図２（ａ）に示す例と同じディスク保持部５ａとディスクガイド部５ｂとを有している。ディスク保持部材５の中心部位に円柱状の凹嵌部５ｄがディスク保持部５ａと同心に形成されている。この凹嵌部５ｄの底部５ｅが円環状平面とされている。更に、底部５ｅの下面の中心部位に、回転軸８の軸方向下方に延びる所定長さの摺動ガイド部５ｆが突設されている。
【００２４】
そして、回転軸８が凹嵌部５ｄの底部５ｅおよび摺動ガイド部５ｆを摺動可能にかつ隙間なく貫通している。すなわち、ディスク保持部材５は回転軸８に隙間なくかつ摺動可能に嵌合しており、回転軸８に対して軸方向および周方向に相対移動しても、ディスク保持部材５のディスク保持部５ａは回転軸８との同心が保持されるようになっている。その場合、所定の長さの摺動ガイド部５ｆによりディスク保持部材５が回転軸８に対して安定してかつ確実に摺動するようになる。図１（ａ）に示すように、ディスク保持部材５の下面５ｇが第１凹嵌部３ｂの底部３ｃに当接して載置されている状態では、摺動ガイド部５ｆは第２凹嵌部３ｄ内に進入するようになる。
【００２５】
ディスク保持部材５の下面５ｇには、円環平面状の磁石吸着面５ｈが下面５ｇより若干上方位置となるように形成されている。そして、図１（ａ）に示すように、ディスク保持部材５の下面５ｇが第１凹嵌部３ｂの底部３ｃに当接して載置されている状態では、磁石吸着面５ｈがディスク保持部材退避位置設定保持用磁石７に吸着されて、ディスク保持部材５がディスク保持部材退避位置設定保持用磁石７の比較的小さな力でターンテーブル３の第２凹嵌部３ｄ内の退避位置に保持される。ディスク保持部材５のこの退避位置では、ディスク保持部材５の全体が第１凹嵌部３ｂ内に引き込まれて、ディスク保持部材５の上面５ｃがターンテーブル側ディスク挟持面３ａより突出しない。
【００２６】
回転軸８の上端部には、本発明の移動規制手段であるリング状の抜け止め部材９が着脱可能に取り付けられており、図１（ｂ）に示すようにディスク保持部材５が回転軸８に対して上方へ摺動したとき、ディスク保持部材５の底部５ｅがこの抜け止め部材９に当接することでディスク保持部材５のそれ以上の上方への摺動が阻止されて、ディスク保持部材５が回転軸８から抜け出るのを防止されている。その場合、ディスク保持部材５の底部５ｅがこの抜け止め部材９に当接した状態では、ディスク保持部材５がターンテーブル３のターンテーブル側ディスク挟持面３ａより外方へ突出するようになっている。
【００２７】
クランパ４には、１枚の円環状かつ厚肉平板状の磁石からなるディスク保持部材使用位置設定保持用磁石（本発明のクランパ側磁石に相当）１０がクランパ４と同心（つまり、回転軸８と同心）に固定されている。なお、ディスク保持部材退避位置設定保持用磁石７と同様に、ディスク保持部材使用位置設定保持用磁石１０は必ずしも１枚で円環状に形成される必要はなく、所定枚数の厚肉平板状の磁石を円環状に配置することもできる。
【００２８】
ディスク保持部材使用位置設定保持用磁石１０によるディスク保持部材５の吸引力は、図１（ａ）に示すようにクランパ４が少なくとも、ディスク２をクランプしない非作動位置にあるときは、ディスク保持部材退避位置設定保持用磁石７の吸引力より小さくなるように設定されているとともに、クランパ４が、ディスク２をターンテーブル３との間でクランプする前の所定量だけターンテーブル３に接近したときは、ディスク保持部材退避位置設定保持用磁石７の吸引力より大きくなるように設定されている。つまり、クランパ４が少なくとも、ディスク２をクランプする作動位置にあるときは、ディスク保持部材使用位置設定保持用磁石１０によるディスク保持部材５の吸引力がディスク保持部材退避位置設定保持用磁石７の吸引力より大きく設定されている。
【００２９】
したがって、クランパ４が図１（ａ）に示す非作動位置からターンテーブル３側に所定量だけ移動すると、ディスク保持部材５はディスク保持部材使用位置設定保持用磁石１０の吸引力でディスク保持部材退避位置設定保持用磁石７から離間してディスク保持部材使用位置設定保持用磁石１０の方へ移動するようになる。そして、図１（ｂ）に示すように、クランパ４がディスク２をターンテーブル３との間でクランプした状態では、ディスク保持部材５はディスク保持部材使用位置設定保持用磁石１０の吸引力で、ディスク保持部材５の底部５ｅが抜け止め部材９に当接しかつターンテーブル３のターンテーブル側ディスク挟持面３ａより外方へ突出した使用位置に保持される。
なお、図１（ａ）および（ｂ）中、１１はモータ６のターンテーブル３に固定された磁石、１２はモータ６のステータ、１３はステータ１２のコイル、１４はステータ１２のコアである。
【００３０】
このように構成されたこの例のディスク記録媒体処理装置においては、図１（ａ）に示すようにクランパ４がターンテーブル３から所定距離離間した非作動位置にあるとき、図示しないディスク挿入取出口から挿入されたディスク２が図示しない搬送手段で図１（ａ）において左方から搬送されてクランパ４とターンテーブル３との間の間隙に進入する。このとき、ディスク保持部材５がターンテーブル３の凹嵌部３ｂ内に退避していてその上面５ｃがターンテーブル側ディスク挟持面３ａより内方へ引っ込んでいるので、ディスク２がディスク保持部材５と干渉することはなく、クランパ４とターンテーブル３との間の間隙へのディスク２の進入がスムーズにかつ確実に行われる。
【００３１】
ディスク２の保持孔２ａの中心がディスク保持部材５の中心位置に来ると、ディスク２の左方からの搬送移動が停止するとともに、クランパ４がターンテーブル３に接近するように下降する。これにより、クランパ４はディスク２に当接するとともにこのディスク２をターンテーブル３の方へ押圧しながらディスク２とともに下降する。
【００３２】
クランパ４が、ディスク２の下面２ｂがターンテーブル３のターンテーブル側ディスク挟持面３ａに当接する前の所定量だけターンテーブル３に接近すると、ディスク保持部材使用位置設定保持用磁石１０の吸引力がディスク保持部材退避位置設定保持用磁石７の吸引力より大きくなるので、ディスク保持部材５がディスク保持部材使用位置設定保持用磁石１０の吸引力でディスク保持部材退避位置設定保持用磁石７から離間してディスク保持部材使用位置設定保持用磁石１０の方へ移動する。すると、ディスク保持部材５はターンテーブル３のターンテーブル側ディスク挟持面３ａより外方へ突出してそのガイド面５ｂがディスク２の保持孔２ａの内周縁に当接し、更にこの内周縁をガイドしながらディスク保持部材使用位置設定保持用磁石１０の方へ移動する。このとき、ディスク保持部材５はディスク２の保持孔２ａのセンタリングずれ量も補正する、自動調芯機構も備えている。これにより、ディスク２が下降途中でのターンテーブル側ディスク挟持面３ａに接するまでは、ディスク２は比較的自由度が高いため、保持孔２ａが多少ずれた場合でも、ディスク保持部材５のガイド面５ｂのテーパー面の効果で自動的にかつ比較的小さな力でセンタリングが可能になる。
【００３３】
図１（ｂ）に示すように、ディスク保持部材５の底部５ｅが抜け止め部材９に当接した使用位置になると、ディスク保持部材５の移動が停止され、ディスク保持部材５がこの使用位置にディスク保持部材使用位置設定保持用磁石１０の吸引力で保持される。このようにディスク保持部材５が使用位置に保持された状態で、クランパ４が図１（ｂ）に示す作動位置になると、ディスク２がターンテーブル３のターンテーブル側ディスク挟持面３ａとクランパ４のクランパ側ディスク挟持面４ａとの間にクランプされてピックアップ位置にセットされる。
【００３４】
ディスク２の記録情報の再生あるいはディスク２への情報の記録等の情報の処理が終了すると、クランパ４が図１（ａ）に示す非作動位置の方へ移動される。そして、ディスク保持部材使用位置設定保持用磁石１０の吸引力がディスク保持部材待避位置設定保持用磁石７の吸引力より小さくなると、ディスク保持部材５はディスク保持部材待避位置設定保持用磁石７の吸引力でディスク保持部材待避位置設定保持用磁石７の方へ移動するとともに、図示しない適宜の手段でディスク２が図１（ａ）に示す位置に上昇される。ディスク保持部材５はディスク保持部材待避位置設定保持用磁石７に吸着されると、その下面５ｇがターンテーブル３の底部３ｃに当接した退避位置となる。その後、ディスク２は搬送手段でディスク挿入取出口の方へ搬送される。このとき、ディスク保持部材５はすでにターンテーブル３の底部３ｃに当接した位置にあって、ターンテーブル側挟持面３ａより外方に（上方に）突出していないため、ディスク保持部材５がディスク２の排出方向の搬送の妨げになることはない。
【００３５】
ところで、図１（ａ）に示ようにこの例のディスク記録媒体処理装置では、クランパ４の非作動位置における、クランパ４の下面４ｂとターンテーブル３のターンテーブル側ディスク挟持面３ａとの間の離間距離（間隙の大きさ）ｓは、ディスク２の厚みｔ、ディスク２の上面２ｃとクランパ４の最下面４ｂとの間隔ｃ1、およびディスク２の下面２ｂとディスク保持部材５の上面５ｃとの間隔ｃ2をすべて加えた大きさ以上（ｓ ≧ ｔ＋ｃ1＋ｃ2）に設定すればよいことになる。したがって、クランパ４の非作動位置における離間距離ｓが、ディスク保持部材５がターンテーブル側ディスク挟持面３ａから常時突出する前述の従来の離間距離ｓ′に比べて小さくなる（ｓ ＜ ｓ′）。また、クランパ４の非作動位置からディスククランプ位置までの移動距離ｄが ｄ ＝ ｓ−ｔとなり、従来の離間距離ｄ′に比べて短くなる（ｄ ＜ｄ′）。
【００３６】
この例のディスク記録媒体処理装置によれば、クランパ４の非作動位置における離間距離ｓが従来の離間距離ｓ′に比べてディスク保持部材５全体が突出しない分小さくなるので、ディスクチャッキング機構１の厚みをその分薄くでき、その結果、ディスク記録媒体処理装置をより小型コンパクトに形成することができる。
【００３７】
また、クランパ４とターンテーブル３とによるディスク２のクランプ動作時、クランパ４の移動距離ｄを前述の図２（ａ）および（ｂ）に示す従来の移動距離ｄ′に比べて小さくなるので、クランパ４の移動量を小さくできる。これにより、クランパ４の移動を安定にできるので、クランパ４によるディスクのクランプを安定して確実に行うことができるとともにクランパ４の移動制御を容易にすることができ、更にはクランパ４の移動支持構造も簡単にすることができる。
【００３８】
更に、ディスク挿入取出口からのディスク２の搬送時、ディスク保持部材５の上面をターンテーブル３のターンテーブル側ディスク挟持面３ａより引き込ませているので、ディスク２がディスク保持部材５に干渉するのを防止でき、ディスク２の搬送をスムーズに行うことができる。
【００３９】
更に、ディスク保持部材５を移動するディスク保持部材駆動手段を、クランパ４に設けたクランパ側磁石１０とターンテーブル３に設けたターンテーブル側磁石７で形成しているので、ディスク保持部材５のディスク保持部材駆動手段を簡単な構成にできる。
更に、クランパ４とターンテーブル３とによるディスク２のクランプ時以外は、ディスク保持部材５をディスク保持部材退避位置設定保持用磁石７により退避位置でターンテーブル３に吸着保持させているので、ディスク保持部材５が使用位置と退避位置との間で移動可能に設けても、ディスク保持部材５を退避位置に、がたつくことがなく安定して確実に保持することができる。
【００４０】
なお、前述の例では、ディスク保持部材５の退避位置では、ディスク保持部材５の上面５ｃがターンテーブル３のターンテーブル側ディスク挟持面３ａよりターンテーブル３の第１凹嵌部３ｂの内側となるようにディスク保持部材５の全体を第１凹嵌部３ｂ内に引き込ませて、ディスク保持部材５の上面５ｃがターンテーブル側ディスク挟持面３ａより突出しないようにしているが、本発明は必ずしもこれに限定されるものではなく、ディスク保持部材５の一部を第１凹嵌部３ｂ内に引き込ませて、ディスク保持部材５の上面５ｃがターンテーブル側ディスク挟持面３ａより突出するようにしてもよい。その場合には、ディスクチャッキング機構１の厚みをあまり薄くできないが従来より薄くできる。しかし、ディスクチャッキング機構１の厚みを効果的に薄くでき、装置内のでディスク２の搬送時にディスク２がディスク保持部材５に干渉するのを防止するうえで、ディスク保持部材５の全体を第１凹嵌部３ｂ内に引き込ませることが望ましい。
【００４１】
更に、前述の例では、本発明の移動規制手段として回転軸８に着脱可能に設けられたリング状の抜け止め部材９を用いているが、この抜け止め部材９に代えて、回転軸８をクランパ側の径を大径にかつターンテーブル側の径を小径にした段付き軸に形成し、本発明の移動規制手段をこの回転軸８の段部で構成することもできる。
【００４２】
更に、前述の例では、本発明をスロットイン方式以外のディスク記録媒体処理装置に適用して説明しているが、ターンテーブル３の中心位置に設けたディスクガイド部材５でディスク２を保持するとともに、クランパ４でディスク２をクランプするものであれば、どのようなディスク記録媒体処理装置にも適用することができる。
【産業上の利用可能性】
【００４３】
本発明のディスク記録媒体処理装置は、例えば、音響機器、映像機器、情報機器、通信機器、計測機器等において用いられ、ＣＤやＤＶＤ等のディスクに対して記録、再生等の情報の処理を行うディスク記録媒体処理装置に利用することが可能であり、特に、スロットイン方式のディスク記録媒体処理装置に好適に利用することが可能である。
【図面の簡単な説明】
【００４４】
【図１】本発明に係るディスク記録媒体処理（記録再生）装置の実施の形態の一例を概略的に示し、（ａ）はクランパによるディスクの非クランプ時を示す図、（ｂ）はクランパによるディスクのクランプ時を示す図である。
【図２】従来のディスク記録媒体処理（記録再生）装置の一例を概略的に示し、（ａ）はクランパによるディスクの非クランプ時を示す図、（ｂ）はクランパによるディスクのクランプ時を示す図である。
【符号の説明】
【００４５】
１…ディスクチャッキング機構、２…ディスク、２ａ…保持孔、３…ターンテーブル、３ａ…ターンテーブル側ディスク挟持面、３ｂ…第１凹嵌部、４…クランパ、４ａ…クランパ側ディスク挟持面、５…ディスク保持部材、５ｃ…上面、６…モータ、７…ディスク保持部材退避位置設定保持用磁石、８…回転軸、９…抜け止め部材、１０…ディスク保持部材使用位置設定保持用磁石
【図１】
2007179665.tif 000003
【図２】
2007179665.tif 000004